(57)【要約】【課題】衝撃が強い場合や、衝突までの時間が短い場合でも、ディスク媒体を衝撃から保護できる、動画記録再生装置およびディスク媒体の保護方法を提供する。【解決手段】記録再生部１０７において、ディスク媒体のヘッド退避位置から近い領域に動画を記録する手段と、ディスク媒体のヘッド退避位置から遠い領域に静止画を記録する手段とを設け、ハードディスク１０８において、ディスク媒体にデータを記録または再生している際に振動または落下が検出されると、ヘッドをディスク媒体上からヘッド退避位置へと退避させる手段とを備え、退避する時間の平均値を小さくするようにした。【選択図】図１
2006114145.tif 000002
【特許請求の範囲】
【請求項１】
少なくとも動画を含むデータを、ディスク媒体上でヘッドを移動させてディスク媒体に記録し再生する動画記録再生装置において、前記ディスク媒体のヘッド退避位置から近い領域に動画を記録する手段と、前記ディスク媒体のヘッド退避位置から遠い領域にその他のデータを記録する手段と、前記ディスク媒体に記録されたデータを再生する手段と、動画記録再生装置の振動または落下を検出する手段と、前記ディスク媒体にデータを記録または再生している際に振動または落下が検出されると、前記ヘッドをディスク媒体上からヘッド退避位置へと退避させる手段とを備えることを特徴とする、動画記録再生装置。
【請求項２】
前記その他のデータは静止画であることを特徴とする、請求項１に記載の動画記録再生装置。
【請求項３】
前記動画は複数のビットレートで圧縮されたデータであり、前記動画を記録する手段は、さらに、ディスク媒体のヘッド退避位置から近い領域にビットレートの大きいデータを記録することを特徴とする、請求項１または２に記載の動画記録再生装置。
【請求項４】
少なくとも動画を含むデータを、ディスク媒体上でヘッドを移動させてディスク媒体に記録し再生する動画記録再生装置において、前記ディスク媒体のヘッド退避位置から近い領域に、記録または再生する時間の大きいデータを記録する手段と、前記ディスク媒体のヘッド退避位置から遠い領域に、記録または再生する時間の小さいデータを記録する手段と、前記ディスク媒体に記録されたデータを再生する手段と、動画記録再生装置の振動または落下を検出する手段と、前記ディスク媒体にデータを記録または再生している際に振動または落下が検出されると、前記ヘッドをディスク媒体上からヘッド退避位置へと退避させる手段とを備えることを特徴とする、動画記録再生装置。
【請求項５】
少なくとも動画を含むデータを、ディスク媒体上でヘッドを移動させてディスク媒体に記録し再生する動画記録再生装置において、前記ディスク媒体のヘッド退避位置から近い領域にデータのファイル管理情報を記録する手段と、前記ディスク媒体のヘッド退避位置から遠い領域にデータのデータ本体を記録する手段と、前記ディスク媒体に記録されたデータを再生する手段と、動画記録再生装置の振動または落下を検出する手段と、前記ディスク媒体にデータを記録または再生している際に振動または落下が検出されると、ヘッドをディスク媒体上からヘッド退避位置へと退避させる手段とを備えることを特徴とする、動画記録再生装置。
【請求項６】
少なくとも動画を含むデータを、ディスク媒体上でヘッドを移動させてディスク媒体に記録し再生する動画記録再生装置におけるディスク媒体の保護方法であって、前記ディスク媒体のヘッド退避位置から近い領域に動画を記録する工程と、前記ディスク媒体のヘッド退避位置から遠い領域にその他のデータを記録する工程と、前記ディスク媒体に記録されたデータを再生する工程と、動画記録再生装置の振動または落下を検出する工程と、前記ディスク媒体にデータを記録または再生している際に振動または落下が検出されると、前記ヘッドをディスク媒体上からヘッド退避位置へと退避させる工程とを備えることを特徴とする、ディスク媒体の保護方法。
【請求項７】
前記その他のデータは静止画であることを特徴とする、請求項６に記載のディスク媒体の保護方法。
【請求項８】
前記動画は複数のビットレートで圧縮されたデータであり、前記動画を記録する工程は、さらに、ディスク媒体のヘッド退避位置から近い領域にビットレートの大きいデータを記録することを特徴とする、請求項６または７に記載のディスク媒体の保護方法。
【請求項９】
少なくとも動画を含むデータを、ディスク媒体上でヘッドを移動させてディスク媒体に記録し再生する動画記録再生装置におけるディスク媒体の保護方法であって、前記ディスク媒体のヘッド退避位置から近い領域に、記録または再生する時間の大きいデータを記録する工程と、前記ディスク媒体のヘッド退避位置から遠い領域に、記録または再生する時間の小さいデータを記録する工程と、前記ディスク媒体に記録されたデータを再生する工程と、動画記録再生装置の振動または落下を検出する工程と、前記ディスク媒体にデータを記録または再生している際に振動または落下が検出されると、前記ヘッドをディスク媒体上からヘッド退避位置へと退避させる工程とを備えることを特徴とする、ディスク媒体の保護方法。
【請求項１０】
少なくとも動画を含むデータを、ディスク媒体上でヘッドを移動させてディスク媒体に記録し再生する動画記録再生装置におけるディスク媒体の保護方法であって、前記ディスク媒体のヘッド退避位置から近い領域にデータのファイル管理情報を記録する工程と、前記ディスク媒体のヘッド退避位置から遠い領域にデータのデータ本体を記録する工程と、前記ディスク媒体に記録されたデータを再生する工程と、動画記録再生装置の振動または落下を検出する工程と、前記ディスク媒体にデータを記録または再生している際に振動または落下が検出されると、前記ヘッドをディスク媒体上からヘッド退避位置へと退避させる工程とを備えることを特徴とする、ディスク媒体の保護方法。
【発明の詳細な説明】
【技術分野】
【０００１】
本発明は、ディスク媒体に動画を記録し再生する動画記録再生装置およびディスク媒体の保護方法に関するものであり、特に、ハードディスクを記録媒体として用いるデジタルスチルカメラやデジタルムービーカメラ等の携帯型の動画記録再生装置およびディスク媒体の保護方法に関するものである。
【背景技術】
【０００２】
近年、ＭＰＥＧに代表される画像圧縮技術の発展により、動画や静止画をデジタルデータとして扱えるようになってきた。また、ＤＶＤに代表される光ディスクや、ハードディスク等の大容量化により、動画や静止画をデジタルデータとして記録するための記録媒体として、これらのランダムアクセス可能な記録媒体が使われるようになってきた。ＤＶＤレコーダやハードディスクレコーダ、もしくはＤＶＤとハードディスクの両方を備えたハイブリッド型レコーダが、ランダムアクセス可能な記録媒体であるディスク媒体の使い勝手の良さから、急速に普及してきている。
【０００３】
このような中で、デジタルスチルカメラやデジタルムービーカメラに代表される携帯型の動画記録再生装置においても、ランダムアクセス可能な記録媒体であるディスク媒体を使うものがでてきている。その中でも、着脱可能な記録媒体ではないものの、特にハードディスクには小型で大容量であるという長所があるので、携帯性が要求され、しかも、動画のような大容量データを記録し再生する携帯型の動画記録再生装置の記録媒体として、ハードディスクレコーダのように今後広く使われるようになる可能性がある。
【０００４】
ところが、携帯型の動画記録再生装置にとっては、ハードディスクは振動や落下に伴う衝撃に弱く、記録したデータが破壊されてしまうという問題がある。ハードディスクは、ディスク媒体上でヘッドをわずかに浮かせて移動させるという構造であるために、強い衝撃を受けるとヘッドがディスク媒体に接触して、記録したデータが物理的に破壊されてしまう可能性がある。また、接触までにはいたらなかったとしても、データを記録しているときに衝撃を受けると、ヘッド位置が正しい記録位置からずれて、既に記録された別のデータが誤って上書きされてしまうことで破壊される可能性がある。
【０００５】
従来、この種の動画記録再生装置およびディスク媒体の保護方法としては、例えば、特許文献１乃至３に記載されているようなものがあった。
【０００６】
特許文献１においては、ハードディスクに弾性材を取り付けるとともに、加速度センサー等の衝撃を検出する手段を備えており、衝撃を検出すると、衝撃が弾性材によって遅延し緩和されてハードディスクへ届くまでの間に、ヘッドをディスク媒体上からヘッド退避位置へと退避させる。
【０００７】
このように、弾性材によって衝撃が遅延される間に、ヘッドを安全な位置へと退避させることで、ディスク媒体を衝撃から保護することができる。
【０００８】
特許文献２においては、加速度センサー等の落下を検出する手段を３方向それぞれに備え、加速度が略０の状態が一定時間継続した際に落下状態にあると判断し、ヘッドをディスク媒体上からヘッド退避位置へと退避させる。
【０００９】
このように、落下状態にあることを検出してから衝突による衝撃が発生するまでの間に、ヘッドを安全な位置へと退避させることで、ディスク媒体を衝撃から保護することができる。
【００１０】
特許文献３においては、第１の構成では、データを一旦格納するメモリを備え、データをメモリからディスク媒体に記録しているとき以外は、ヘッドをディスク媒体上からヘッド退避位置へと退避する。また、第２の構成では、ユーザーがデータの記録を指示するためのスイッチを備え、ユーザーがスイッチを放したとき、ヘッドをディスク媒体上からヘッド退避位置へと退避する。また、第３の構成では、ユーザーが装置を手で保持していることを検出する手段を備え、ユーザーの手から離れたことが検出されると、ヘッドをディスク媒体上からヘッド退避位置へと退避する。また、第４の構成では、被写体を撮像する手段と、撮像した被写体の動きベクトルを検出する手段とを備え、検出された動きベクトルが落下に伴うパン動作を示唆する際に落下状態にあると判断し、ヘッドをディスク媒体上からヘッド退避位置へと退避する。
【００１１】
このように、第１の構成では、データのディスク媒体への記録は動画であるデータの実時間より高速に行うことができるため、データをディスク媒体に記録している時間と比べて、記録していない時間が大部分を占めることとなる。したがって、データをディスク媒体に記録していないときは、ヘッドを安全な位置へと退避させることで、安全でない時間の割合を極力少なくして、結果として、衝撃によってディスク媒体のデータが破壊される確率を少なくすることができる。
【００１２】
また、第２乃至３の構成では、落下が始まったことを検出してから衝突による衝撃が発生するまでの間にヘッドを安全な位置へと退避させることで、ディスク媒体を衝撃から保護することができる。また、第４の構成では、落下状態にあることを検出してから衝突による衝撃が発生するまでの間に、ヘッドを安全な位置へと退避させることで、ディスク媒体を衝撃から保護することができる。
【特許文献１】特許第３２２３３５９号公報
【特許文献２】特許第３４４１６６８号公報
【特許文献３】特開２００１―１４３３７１号公報
【発明の開示】
【発明が解決しようとする課題】
【００１３】
しかしながら、前記従来の構成では、ディスク媒体を衝撃から十分には保護できない場合があった。
【００１４】
前記従来の構成では、弾性材によって衝撃が遅延される間、または、落下状態にあることを検出してから衝突による衝撃が発生するまでの間、または、落下が始まったことを検出してから衝突による衝撃が発生するまでの間に、ヘッドを安全な位置へと退避させることで、ディスク媒体を衝撃から保護する。ところが、携帯型の動画記録再生装置では、多様な状態で使用されるために、衝撃が発生する状況にもさまざまな可能性があり、例えば、衝撃が非常に強い場合や、衝突までの時間が非常に短い場合もありうる。このような場合、ヘッドの退避を開始してから衝撃がヘッドやディスク媒体に伝わるまでの時間が短くなるので、ヘッドを安全な位置へと退避することが間に合わない場合があり、ディスク媒体を衝撃から保護できない。
【００１５】
本発明は、上記課題を解決するために、記録するデータの種類に応じて、そのデータをディスク媒体に記録または再生する際にディスク媒体上にヘッドが存在する時間が大きいデータを、ディスク媒体のヘッド退避位置から近い領域に記録する。その結果、携帯型の動画記録再生装置のようにさまざまな状況で衝撃が発生する際にも、ディスク媒体を衝撃から保護できる確率を大きくして耐衝撃性を高めた、動画記録再生装置およびディスク媒体の保護方法を提供することができる。
【課題を解決するための手段】
【００１６】
前記従来の課題を解決するため、本発明の動画記録再生装置およびディスク媒体の保護方法は、ディスク媒体のヘッド退避位置から近い領域に動画を記録する手段と、ディスク媒体のヘッド退避位置から遠い領域にその他のデータを記録する手段と、ディスク媒体に記録されたデータを再生する手段と、動画記録再生装置の振動または落下を検出する手段と、ディスク媒体にデータを記録または再生している際に振動または落下が検出されると、ヘッドをディスク媒体上からヘッド退避位置へと退避させる手段とを備える。
【発明の効果】
【００１７】
以上のように、本発明の動画記録再生装置およびディスク媒体の保護方法によれば、ディスク媒体に記録または再生する際にディスク媒体上にヘッドが存在する時間が大きくなる動画を、ディスク媒体のヘッド退避位置から近い領域に記録し、ディスク媒体に記録または再生する際にディスク媒体上にヘッドが存在する時間が小さくなる静止画等のその他のデータを、ディスク媒体のヘッド退避位置から遠い領域に記録する。
【００１８】
こうすることで、振動や落下に伴う衝撃を受けたときに、ヘッドをディスク媒体上の記録位置または再生位置からヘッド退避位置へと退避する時間の平均値を小さくすることができる。したがって、例えば、衝撃が非常に強い場合や、衝突までの時間が非常に短い場合等の、ヘッドの退避を開始してから衝撃がヘッドやディスク媒体に伝わるまでの時間が短い場合でも、ディスク媒体を衝撃から保護できる確率が大きくなり、耐衝撃性を高めることができる。
【発明を実施するための最良の形態】
【００１９】
本発明に係る動画記録再生装置は、少なくとも動画を含むデータを、ディスク媒体上でヘッドを移動させてディスク媒体に記録し再生する動画記録再生装置において、前記ディスク媒体のヘッド退避位置から近い領域に第１のデータを記録する手段と、前記ディスク媒体のヘッド退避位置から遠い領域に第のデータを記録する手段と、前記ディスク媒体に記録されたデータを再生する手段と、動画記録再生装置の振動または落下を検出する手段と、前記ディスク媒体にデータを記録または再生している際に振動または落下が検出されると、前記ヘッドをディスク媒体上からヘッド退避位置へと退避させる手段とを備えることを特徴とする。
【００２０】
また、本発明において、第1のデータを動画データ、記録または再生する時間の大きいデータまたはファイル管理情報などとし、第２のデータを動画以外のデータ、記録または再生する時間の小さいデータまたはファイル管理情報に対するデータ本体としてもよい。
【００２１】
また、本発明に係る動画記録再生装置におけるディスク媒体の保護方法は、少なくとも動画を含むデータを、ディスク媒体上でヘッドを移動させてディスク媒体に記録し再生する動画記録再生装置におけるディスク媒体の保護方法であって、前記ディスク媒体のヘッド退避位置から近い領域に第１のデータを記録する工程と、前記ディスク媒体のヘッド退避位置から遠い領域に第2のデータを記録する工程と、前記ディスク媒体に記録されたデータを再生する工程と、動画記録再生装置の振動または落下を検出する工程と、前記ディスク媒体にデータを記録または再生している際に振動または落下が検出されると、前記ヘッドをディスク媒体上からヘッド退避位置へと退避させる工程とを備えることを特徴とする。
【００２２】
また、上記本発明において、第1のデータを動画データ、記録または再生する時間の大きいデータ、或いはファイル管理情報などとし、第２のデータを静止画等の動画以外のデータ、記録または再生する時間の小さいデータ、或いはファイル管理情報に対するデータ本体としてもよい。
【００２３】
以下に、本発明の実施の形態について、図面を参照しながら説明する。
【００２４】
（実施の形態１）
図１は、本発明の実施の形態１における動画記録再生装置のブロック図である。図１において、１０１はレンズ、１０２は撮像部、１０３はマイク、１０４は信号処理部、１０５は圧縮伸張部、１０６はメモリ、１０７は記録再生部、１０８はハードディスク、１０９は制御部、１１０は操作部、１１１はセンサー、１１２は外部Ｉ／Ｆ部、１１３は表示部である。また、図２は本発明の実施の形態１における動画記録再生装置のハードディスク１０８のさらに詳細なブロック図である。図２において、２０１は磁気ディスク、２０２はスピンドルモータ、２０３はアクチュエータ、２０４はアーム、２０５は磁気ヘッド、２０６は退避ゾーンである。
【００２５】
操作部１１０は、例えば、動画録画モードと静止画録画モードと再生モードのいずれかの動作モードを指示するための動作モードスイッチと、録画または録画の開始および停止を指示するための録画スイッチと、上下左右の方向等を指示するための４方向スイッチと、決定を指示するための決定スイッチ等を備え、ユーザーが操作を行う。操作部１１０は、このような操作スイッチを備えるものでもよいし、あるいは、タッチパネル等のディスプレイに表示される操作アイコンを備えるものでもよい。
【００２６】
操作部１１０の動作モードスイッチが動画録画モードであるときに、操作部１１０の録画スイッチが押されたことを制御部１０９が検出すると、動画の録画が開始される。被写体からの光は、レンズ１０１を通して、ＣＣＤ等の撮像部１０２で結像し、被写体の画像として撮影される。また、被写体からの音声は、マイク１０３で集音される。信号処理部１０４は、撮像部１０２で撮影された画像に対して動画としてのカメラ信号処理を行って、マイク１０３からの音声と共に連続的に出力する。圧縮伸張部１０５は、ＭＰＥＧ２等の動画圧縮形式で、画像と音声とが多重化された圧縮動画データとして連続的に圧縮を行い、メモリ１０６に一時的に格納する。メモリ１０６に一定量の圧縮動画データが格納されると、記録再生部１０７は、メモリ１０６から圧縮動画データを読み出し、ハードディスク１０８に記録する。その後、操作部１１０の録画スイッチが再度押されたことを制御部１０９が検出すると、動画の録画が停止される。このときメモリ１０６に残されている圧縮動画データは、記録再生部１０７によってメモリ１０６から読み出され、ハードディスク１０８に記録される。
【００２７】
また、操作部１１０の動作モードスイッチが静止画録画モードであるときに、操作部１１０の録画スイッチが押されたことを制御部１０９が検出すると、静止画の録画が行われる。被写体からの光は、レンズ１０１を通して、撮像部１０２で結像し、被写体の画像として撮影される。信号処理部１０４は、撮像部１０２で撮影された画像に対して静止画としてのカメラ信号処理を行って出力する。圧縮伸張部１０５は、ＪＰＥＧ等の静止画圧縮形式で、圧縮静止画データとして圧縮を行い、メモリ１０６に一時的に格納する。記録再生部１０７は、メモリ１０６から圧縮静止画データを読み出し、ハードディスク１０８に記録する。
【００２８】
また、操作部１１０の動作モードスイッチが再生モードであることを制御部１０９が検出すると、ハードディスク１０８に記録された複数の圧縮動画データと圧縮静止画データのなかから、ユーザーがデータを選択するための情報が表示部１１３に表示される。ここで、表示部１１３は、例えば、ＬＣＤ等のディスプレイとスピーカーとを備え、画像と音声をこれらから出力することで、画像と音声を表示する。
【００２９】
操作部１１０の４方向スイッチと決定スイッチによって、圧縮動画データのうちの１つが選択されたことを制御部１０９が検出すると、記録再生部１０７は、ハードディスク１０８に記録されたその圧縮動画データの一定量を再生して読み出し、メモリ１０６に一時的に格納する。圧縮伸張部１０５は、メモリ１０６に格納された圧縮動画データを読み出し、画像と音声として連続的に伸張し、メモリ１０６に格納する。表示部１１３は、メモリ１０６から伸張された画像と音声を読出し、ディスプレイとスピーカーから連続的に出力する。記録再生部１０７は、メモリ１０６に格納された圧縮動画データが読み出されてなくなると、ハードディスク１０８に記録された圧縮画像データの続きを一定量再生して読出し、メモリ１０６に一時的に格納する。その後、操作部１１０の決定スイッチが再度押されたことを制御部１０９が検出すると、動画の再生が停止される。
【００３０】
操作部１１０の４方向スイッチと決定スイッチによって、圧縮静止画データのうちの１つが選択されたことを制御部１０９が検出すると、記録再生部１０７は、ハードディスク１０８に記録されたその圧縮静止画データを含む一定量を再生して読み出し、メモリ１０６に一時的に格納する。圧縮伸張部１０５は、メモリ１０６に格納された圧縮静止画データを読み出し、画像として伸張し、メモリ１０６に格納する。表示部１１３は、メモリ１０６から伸張された画像を読出し、フラットパネルディスプレイから出力する。その後、操作部１１０の４方向スイッチによって、コマ送りが指示されたことを制御部１０９が検出すると、圧縮伸張部１０５は、メモリ１０６に格納された次の圧縮静止画データを読み出し、画像として伸張し、メモリ１０６に格納する。表示部１１３は、メモリ１０６から伸張された画像を読出し、フラットパネルディスプレイから出力する。記録再生部１０７は、メモリ１０６に格納された圧縮静止画データが読み出されてなくなると、ハードディスク１０８に記録された圧縮静止画データの続きを一定量再生して読出し、メモリ１０６に一時的に格納する。
【００３１】
外部Ｉ／Ｆ部１１２は、例えば、ＵＳＢや無線ＬＡＮや公衆携帯電話回線等のネットワーク、もしくは、メモリカード等の着脱可能な記録媒体用のスロット等であり、外部とハードディスク１０８との間で、メモリ１０６を介してデータの転送行うために用いられる。これによって、自ら撮影した画像以外のデータをハードディスク１０８に記録することができる。例えば、ＤＶＤレコーダ等で録画したＴＶ番組等を、ハードディスク１０８に記録し、ＤＶＤレコーダを設置した場所以外でも再生して視聴するというような、携帯型のビューワーとしての使い方が可能になる。また、ハードディスク１０８に記録した自ら撮影した画像を外部へ読み出すこともできる。例えば、ハードディスク１０８に記録した撮影画像等を、ＤＶＤレコーダ等にバックアップして、ＤＶＤレコーダからＴＶ等に表示して視聴するというような、携帯型のカメラというサーバーの周辺機器としての使い方も可能になる。
【００３２】
ハードディスク１０８は、記録媒体としての磁気ディスク２０１を備え、スピンドルモータ２０２によって磁気ディスク２０１は高速に回転する。磁気ディスク２０１上には、アーム２０４があり、アーム２０４の先端には、磁気ディスク２０１にデータを記録または再生する磁気ヘッド２０５がある。アクチュエータ２０３は、アーム２０５をスイングさせることによって、磁気ディスク２０１上で磁気ヘッド２０５を移動させる。磁気ディスク２０１には、トラックという同心円状の複数の領域があり、トラックは複数のセクターからなる。磁気ヘッド２０５を所定のトラック上へ移動させ、トラック上の所定のセクターが磁気ディスク２０１の回転によって磁気ヘッドの位置まで到達したときに、データの記録または再生を行う。このようにして、磁気ディスク２０１上の、トラックとセクターで決まる所定の位置に、データを記録または再生することができる。
【００３３】
センサー１１１は、例えば、加速度センサー等からなり、動画記録再生装置の振動または落下等の物理的な状態の変化を検出して制御部１０９へ通知する。制御部１０９は、衝撃につながる振動や落下の状態であるかどうかを判断する。センサー１１１の構成や、衝撃につながる振動や落下の検出や状態の判断の方法、もしくは衝撃自体の検出の方法は、例えば、背景技術において説明した、特許文献１乃至３に記載の従来の構成の方法でもよく、また、衝撃が磁気ヘッド２０５や磁気ディスク２０１に伝わる前に、衝撃が伝わることを検出できれば、これら以外の方法でもよい。
【００３４】
記録再生部１０７が、ハードディスク１０８にデータの記録または再生をしているときに、制御部１０９が、衝撃につながる振動または落下の状態であると判断すると、記録再生部１０７は、ハードディスク１０８へのデータの記録または再生を停止する。そして、磁気ヘッド２０５を、磁気ディスク２０１上のデータの記録または再生を行っていた位置から、磁気ディスク２０１上からは離れた、磁気ディスク２０１にとって衝撃に対して安全な位置である退避ゾーン２０６へと退避させる。
【００３５】
動画記録再生装置の動作を、図５のハードディスク１０８の磁気ディスク２０１上の領域を示す説明図を用いてさらに詳しく説明する。図５において、５０１と５０２は、磁気ディスク２０１上の領域である。記録再生部１０７が、ハードディスク１０８に圧縮動画データを記録するときは、磁気ディスク２０１上の退避ゾーン２０６から近い領域５０１に記録する。また、記録再生部１０７が、ハードディスク１０８に圧縮静止画データを記録するときは、磁気ディスク２０１上の退避ゾーン２０６から遠い領域５０２に記録する。したがって、記録再生部１０７が、ハードディスク１０８に記録された圧縮動画データを再生するときは、磁気ディスク２０１上の退避ゾーン２０６から近い領域５０１から再生することになる。また、記録再生部１０７が、ハードディスク１０８に記録された圧縮静止画データを再生するときは、磁気ディスク２０１上の退避ゾーン２０６から遠い領域５０２から再生することになる。
【００３６】
磁気ディスク２０１上の圧縮動画データを記録した領域５０１から退避ゾーン２０６までの距離は少なく、磁気ディスク２０１上の圧縮静止画データを記録した領域５０２から退避ゾーン２０６までの距離は大きい。したがって、圧縮動画データの記録または再生の際に、磁気ヘッド２０５を退避ゾーン２０６へと退避させる時間は、圧縮静止画データの記録または再生の際に、磁気ヘッド２０５を退避ゾーン２０６へと退避させる時間より、短くすることができる。
【００３７】
この効果を、図３のハードディスク１０８への記録時の動作を示す説明図と、図４のハードディスク１０８からの再生時の動作を示す説明図を用いてさらに詳しく説明する。図３において、３００乃至３０５は、動画録画の際のユーザーの操作タイミングである。３１０、３１１、３２０及び３２１は、動画録画の際の被写体の撮影期間である。３１２乃至３１８と３２２乃至３２６は、動画録画の際のハードディスク１０８への記録期間である。３３０乃至３３５は、静止画録画の際のユーザーの操作タイミングである。３４１乃至３４４は、静止画録画の際の被写体の撮影期間である。３４５乃至３４８は、静止画録画の際のハードディスク１０８への記録期間である。また、図４において、４００乃至４９５は、動画再生の際のユーザーの操作タイミングである。４１０乃至４１６と４２０乃至４２４は、動画再生の際のハードディスク１０８からの再生期間である。４１７、４１８、４２５及び４２６は、動画再生の際の表示期間である。４３０乃至４３７は、静止画再生の際のユーザーの操作タイミングである。４４０と４４１は、静止画再生の際のハードディスク１０８からの再生期間である。４４２乃至４４７は、静止画再生の際の表示期間である。
【００３８】
図３の例では、動画を録画する際、操作タイミング３００で電源ＯＮしてから３０５で電源ＯＦＦするまでに、３０１で録画を開始して３０２で録画を停止し、３０３で再び録画を開始して３０４で録画を停止している。このとき、撮影期間３１０では、一定量のデータがメモリ１０６に格納されると、３１２乃至３１３の期間にメモリ１０６からハードディスク１０８に記録される。録画停止時３０２にメモリ１０６に残されているデータは、３１４の期間にメモリ１０６からハードディスク１０８に記録される。撮影期間３１１では、一定量のデータがメモリ１０６に格納されると、３１５乃至３１７の期間にメモリ１０６からハードディスク１０８に記録される。録画停止時３０４にメモリ１０６に残されているデータは、３１８の期間にメモリ１０６からハードディスク１０８に記録される。３１２乃至３１８のハードディスク１０８への記録期間には、磁気ヘッド２０５は磁気ディスク２０１上に必ず存在することになる。
【００３９】
一方で、静止画を録画する際、３３０で電源ＯＮしてから３３５で電源ＯＦＦするまでに、３３１乃至３３４で録画をしている。このとき、撮影期間３４１では、メモリ１０６に格納されたデータは、３４５の期間にメモリ１０６からハードディスク１０８に記録される。撮影期間３４２では、メモリ１０６に格納されたデータは、３４６の期間にメモリ１０６からハードディスク１０８に記録される。撮影期間３４３では、メモリ１０６に格納されたデータは、３４７の期間にメモリ１０６からハードディスク１０８に記録される。撮影期間３４４では、メモリ１０６に格納されたデータは、３４８の期間にメモリ１０６からハードディスク１０８に記録される。３４５乃至３４８のハードディスク１０８への記録期間には、磁気ヘッド２０５は磁気ディスク２０１上に必ず存在することになる。
【００４０】
動画は静止画よりデータ量が大きいので、３１２乃至３１８の期間の合計は、３４５乃至３４８の期間の合計より大きくなる。すなわち、動画を録画する際には、静止画を録画する際より、磁気ヘッド２０５が磁気ディスク２０１上に存在する時間が大きくなる。
【００４１】
図４の例では、動画を再生する際、４００で電源ＯＮしてから４０５で電源ＯＦＦするまでに、４０１で再生を開始して４０２で再生を停止し、４０３で再び再生を開始して４０４で再生を停止している。このとき、表示期間４１７では、４１０乃至４１２の期間にハードディスク１０８から一定量のデータが再生されて読み出され、メモリ１０６に格納される。再生停止時４０２には、ハードディスク１０８からのデータの再生は行われていない。再生期間４１８では、４１３乃至４１５の期間にハードディスク１０８から一定量のデータが再生されて読み出され、メモリ１０６に格納される。再生停止時４０４には、４１６の期間にハードディスク１０８からのデータの再生が行われており、再生が停止するまでに読み出されたデータがメモリ１０６に格納される。４１０乃至４１６のハードディスク１０８からの再生期間には、磁気ヘッド２０５は磁気ディスク２０１上に必ず存在することになる。
【００４２】
一方で、静止画を再生する際、４３０で電源ＯＮしてから４３７で電源ＯＦＦするまでに、４３１乃至４３６で再生をしている。このとき、表示期間４４２では、４４０の期間にハードディスク１０８から一定量のデータが再生されて読み出され、メモリ１０６に格納される。表示期間４４３では、表示するデータがメモリ１０６に既に格納されている。同様にして、表示期間４４４では、表示するデータがメモリ１０６に既に格納されている。表示期間４４５では、表示するデータがメモリ１０６には格納されていないので、４４１の期間にハードディスク１０８から一定量のデータが再生されて読み出され、メモリ１０６に格納される。表示期間４４６では、表示するデータがメモリ１０６に既に格納されている。表示期間４４７では、表示するデータがメモリ１０６に既に格納されている。４４０乃至４４１のハードディスク１０８からの再生期間には、磁気ヘッド２０５は磁気ディスク２０１上に必ず存在することになる。
【００４３】
動画は静止画よりデータ量が大きいので、４１０乃至４１６の期間の合計は、４４０乃至４４１の期間の合計より大きくなる。すなわち、動画を再生する際には、静止画を再生する際より、磁気ヘッド２０５が磁気ディスク２０１上に存在する時間が大きくなる。
【００４４】
以上のように、動画を記録または再生する際には、静止画を記録または再生する際より、磁気ヘッド２０５が磁気ディスク２０１上に存在する時間が大きくなる。したがって、動画を記録または再生する際に、磁気ヘッド２０５を磁気ディスク２０１上から退避ゾーン２０６へと退避させる時間を、静止画を記録または再生する際に、磁気ヘッド２０５を磁気ディスク２０１上から退避ゾーン２０６へと退避させる時間より短くすることで、振動や落下に伴う衝撃を受けたときに、磁気ヘッド２０５を磁気ディスク２０１上の記録位置または再生位置から退避ゾーン２０６へと退避する時間の平均値を小さくすることができる。したがって、例えば、衝撃が非常に強い場合や、衝突までの時間が非常に短い場合等の、磁気ヘッド２０５の退避を開始してから衝撃が磁気ヘッド２０５や磁気ディスク２０１に伝わるまでの時間が短い場合でも、磁気ディスク２０１を衝撃から保護できる確率が大きくなり、耐衝撃性を高めることができる。
【００４５】
なお、本実施の形態では、動画以外のデータを静止画としたが、それ以外のデータであっても、例えば、音声等の動画よりデータ量が少ないデータであればよい。
【００４６】
（実施の形態２）
本発明の実施の形態２を、図１と図２とを用いて説明する。動画記録再生装置の構成を示すブロック図である図１に関しては、実施の形態１においてその構成を説明したので、ここでは説明を省略する。動画記録再生装置のハードディスク１０８の構成を示すブロック図である図２に関しては、実施の形態１においてその構成を説明したので、ここでは説明を省略する。
【００４７】
操作部１１０は、例えば、動画録画モードと静止画録画モードと再生モードのいずれかの動作モードを指示するための動作モードスイッチと、録画または録画の開始および停止を指示するための録画スイッチと、上下左右の方向等を指示するための４方向スイッチと、決定を指示するための決定スイッチと、メニューによる設定を指示するためのメニュースイッチ等を備え、ユーザーが操作を行う。
【００４８】
操作部１１０の動作モードスイッチが動画録画モードであるときに、操作部１１０のメニュースイッチが押されたことを制御部１０９が検出すると、動画録画に関する設定メニューが、表示部１１３に表示される。設定メニューを使用して、動画録画における圧縮動画データのビットレートを設定することができる。ビットレートの設定として、例えば、ビットレート大とビットレート小の２種類のうちから１つを、操作部１１０の４方向スイッチと決定スイッチによって選択させるようにする。ここでは、説明を簡単化するために、ビットレート大とビットレート小を選択させるようにしたが、その他の設定方法でもよい。
【００４９】
ビットレート大が選択されている際に、操作部１１０の録画スイッチが押されたことを制御部１０９が検出すると、動画の録画がビットレート大にて開始される。圧縮伸張部１０５は、ＭＰＥＧ２等の動画圧縮形式で、ビットレート大の設定にて、画像と音声とが多重化された圧縮動画データとして連続的に圧縮を行い、メモリ１０６に一時的に格納する。その他の動作は、実施の形態１において説明した動作と同じなので、ここでは説明を省略する。
【００５０】
また、ビットレート小が選択されている際に、操作部１１０の録画スイッチが押されたことを制御部１０９が検出すると、動画の録画がビットレート小にて開始される。圧縮伸張部１０５は、ＭＰＥＧ２等の動画圧縮形式で、ビットレート小の設定にて、画像と音声とが多重化された圧縮動画データとして連続的に圧縮を行い、メモリ１０６に一時的に格納する。その他の動作は、実施の形態１において説明した動作と同じなので、ここでは説明を省略する。
【００５１】
動画記録再生装置の動作を、図６のハードディスク１０８の磁気ディスク２０１上の領域を示す説明図を用いてさらに詳しく説明する。図６において、６０１と６０２は、磁気ディスク２０１上の領域である。記録再生部１０７が、ハードディスク１０８にビットレート大の圧縮動画データを記録するときは、磁気ディスク２０１上の退避ゾーン２０６から近い領域６０１に記録する。また、記録再生部１０７が、ハードディスク１０８にビットレート小の圧縮動画データを記録するときは、磁気ディスク２０１上の退避ゾーン２０６から遠い領域６０２に記録する。したがって、記録再生部１０７が、ハードディスク１０８に記録されたビットレート大の圧縮動画データを再生するときは、磁気ディスク２０１上の退避ゾーン２０６から近い領域６０１から再生することになる。また、記録再生部１０７が、ハードディスク１０８に記録されたビットレート小の圧縮動画データを再生するときは、磁気ディスク２０１上の退避ゾーン２０６から遠い領域６０２から再生することになる。
【００５２】
磁気ディスク２０１上のビットレート大の圧縮動画データを記録した領域６０１から退避ゾーン２０６までの距離は少なく、磁気ディスク２０１上のビットレート小の圧縮動画データを記録した領域６０２から退避ゾーン２０６までの距離は大きい。したがって、ビットレート大の圧縮動画データの記録または再生の際に、磁気ヘッド２０５を退避ゾーン２０６へと退避させる時間は、ビットレート小の圧縮動画データの記録または再生の際に、磁気ヘッド２０５を退避ゾーン２０６へと退避させる時間より、短くすることができる。
【００５３】
この効果を、図３のハードディスク１０８への記録時の動作を示す説明図と、図４のハードディスク１０８からの再生時の動作を示す説明図を用いてさらに詳しく説明する。ハードディスク１０８への記録時の動作を示す説明図である図３に関しては、実施の形態１において説明したので、ここでは説明を省略する。ハードディスク１０８からの再生時の動作を示す説明図である図４に関しては、実施の形態１において説明したので、ここでは説明を省略する。
【００５４】
図３の例では、ビットレート大の動画を録画する際、３００で電源ＯＮしてから３０５で電源ＯＦＦするまでに、３０１で録画を開始して３０２で録画を停止し、３０３で再び録画を開始して３０４で録画を停止している。このとき、撮影期間３１０では、一定量のデータがメモリ１０６に格納されると、３１２乃至３１３の期間にメモリ１０６からハードディスク１０８に記録される。録画停止時３０２にメモリ１０６に残されているデータは、３１４の期間にメモリ１０６からハードディスク１０８に記録される。撮影期間３１１では、一定量のデータがメモリ１０６に格納されると、３１５乃至３１７の期間にメモリ１０６からハードディスク１０８に記録される。録画停止時３０４にメモリ１０６に残されているデータは、３１８の期間にメモリ１０６からハードディスク１０８に記録される。３１２乃至３１８のハードディスク１０８への記録期間には、磁気ヘッド２０５は磁気ディスク２０１上に必ず存在することになる。
【００５５】
一方で、ビットレート小の動画を録画する際、３００で電源ＯＮしてから３０５で電源ＯＦＦするまでに、３０１で録画を開始して３０２で録画を停止し、３０３で再び録画を開始して３０４で録画を停止している。このとき、撮影期間３２０では、一定量のデータがメモリ１０６に格納されると、３２２乃至３２３の期間にメモリ１０６からハードディスク１０８に記録される。録画停止時３０２には、メモリ１０６にデータは残されていない。撮影期間３２１では、一定量のデータがメモリ１０６に格納されると、３２４乃至３２５の期間にメモリ１０６からハードディスク１０８に記録される。録画停止時３０４にメモリ１０６に残されているデータは、３２６の期間にメモリ１０６からハードディスク１０８に記録される。３２２乃至３２６のハードディスク１０８への記録期間には、磁気ヘッド２０５は磁気ディスク２０１上に必ず存在することになる。
【００５６】
ビットレート大の動画はビットレート小の動画よりデータ量が大きいので、３１２乃至３１８の期間の合計は、３２２乃至３２６の期間の合計より大きくなる。すなわち、ビットレート大の動画を録画する際には、ビットレート小の動画を録画する際より、磁気ヘッド２０５が磁気ディスク２０１上に存在する時間が大きくなる。
【００５７】
図４の例では、ビットレート大の動画を再生する際、４００で電源ＯＮしてから４０５で電源ＯＦＦするまでに、４０１で再生を開始して４０２で再生を停止し、４０３で再び再生を開始して４０４で再生を停止している。このとき、表示期間４１７では、４１０乃至４１２の期間にハードディスク１０８から一定量のデータが再生されて読み出され、メモリ１０６に格納される。再生停止時４０２には、ハードディスク１０８からのデータの再生は行われていない。再生期間４１８では、４１３乃至４１５の期間にハードディスク１０８から一定量のデータが再生されて読み出され、メモリ１０６に格納される。再生停止時４０４には、４１６の期間にハードディスク１０８からのデータの再生が行われており、再生が停止するまでに読み出されたデータがメモリ１０６に格納される。４１０乃至４１６のハードディスク１０８からの再生期間には、磁気ヘッド２０５は磁気ディスク２０１上に必ず存在することになる。
【００５８】
一方で、ビットレート小の動画を再生する際、４００で電源ＯＮしてから４０５で電源ＯＦＦするまでに、４０１で再生を開始して４０２で再生を停止し、４０３で再び再生を開始して４０４で再生を停止している。このとき、表示期間４２５では、４２０乃至４２１の期間にハードディスク１０８から一定量のデータが再生されて読み出され、メモリ１０６に格納される。再生停止時４０２には、ハードディスク１０８からのデータの再生は行われていない。再生期間４２６では、４２２乃至４２３の期間にハードディスク１０８から一定量のデータが再生されて読み出され、メモリ１０６に格納される。再生停止時４０４には、４２４の期間にハードディスク１０８からのデータの再生が行われており、再生が停止するまでに読み出されたデータがメモリ１０６に格納される。４２０乃至４２４のハードディスク１０８からの再生期間には、磁気ヘッド２０５は磁気ディスク２０１上に必ず存在することになる。
【００５９】
ビットレート大の動画はビットレート小の動画よりデータ量が大きいので、４１０乃至４１６の期間の合計は、４２０乃至４２４の期間の合計より大きくなる。すなわち、ビットレート大の動画を再生する際には、ビットレート小の動画を再生する際より、磁気ヘッド２０５が磁気ディスク２０１上に存在する時間が大きくなる。
【００６０】
以上のように、ビットレート大の動画を記録または再生する際には、ビットレート小の動画を記録または再生する際より、磁気ヘッド２０５が磁気ディスク２０１上に存在する時間が大きくなる。したがって、ビットレート大の動画を記録または再生する際に、磁気ヘッド２０５を磁気ディスク２０１上から退避ゾーン２０６へと退避させる時間を、ビットレート小の動画を記録または再生する際に、磁気ヘッド２０５を磁気ディスク２０１上から退避ゾーン２０６へと退避させる時間より短くすることで、振動や落下に伴う衝撃を受けたときに、磁気ヘッド２０５を磁気ディスク２０１上の記録位置または再生位置から退避ゾーン２０６へと退避する時間の平均値を小さくすることができる。したがって、例えば、衝撃が非常に強い場合や、衝突までの時間が非常に短い場合等の、磁気ヘッド２０５の退避を開始してから衝撃が磁気ヘッド２０５や磁気ディスク２０１に伝わるまでの時間が短い場合でも、磁気ディスク２０１を衝撃から保護できる確率が大きくなり、耐衝撃性を高めることができる。
【００６１】
なお、本実施の形態では、ビットレート大の動画とビットレート小の動画としたが、それ以外のデータであっても、記録または再生する際に、磁気ヘッド２０５が磁気ディスク２０１上に存在する時間が大きくなるデータと、磁気ヘッド２０５が磁気ディスク上に存在する時間が小さくなるデータであればよい。例えば、再生頻度の大きいデータと再生頻度の小さいデータとでもよい。
【００６２】
（実施の形態３）
本発明の実施の形態３を、図１と図２とを用いて説明する。動画記録再生装置の構成を示すブロック図である図１に関しては、実施の形態１においてその構成を説明したので、ここでは説明を省略する。動画記録再生装置のハードディスク１０８の構成を示すブロック図である図２に関しては、実施の形態１においてその構成を説明したので、ここでは説明を省略する。
【００６３】
記録再生部１０７がハードディスク１０８にデータを記録する際には、ファイルとして記録する。ファイルとして記録する場合、ファイルを管理するための情報であるファイルアロケーションテーブル等のファイル管理情報と、データ本体の２種類のデータを記録する必要がある。ファイル管理情報は、ファイルが指定されたときに、そのファイルのデータ本体にアクセスするための情報である。
【００６４】
動画記録再生装置の動作を、図７のハードディスク１０８の磁気ディスク２０１上の領域を示す説明図を用いてさらに詳しく説明する。図７において、７０１と７０２は、磁気ディスク２０１上の領域である。記録再生部１０７が、ハードディスク１０８にデータを記録するときは、磁気ディスク２０１上の退避ゾーン２０６から近い領域７０１にファイル管理情報を記録する。そして、磁気ディスク２０１上の退避ゾーン２０６から遠い領域７０２にデータ本体を記録する。したがって、記録再生部１０７が、ハードディスク１０８に記録されたファイル管理情報を再生するときは、磁気ディスク２０１上の退避ゾーン２０６から近い領域７０１から再生することになる。また、記録再生部１０７が、ハードディスク１０８に記録されたデータ本体を再生するときは、磁気ディスク２０１上の退避ゾーン２０６から遠い領域７０２から再生することになる。
【００６５】
磁気ディスク２０１上のファイル管理情報を記録した領域７０１から退避ゾーン２０６までの距離は少なく、磁気ディスク２０１上のデータ本体を記録した領域７０２から退避ゾーン２０６までの距離は大きい。したがって、ファイル管理情報の記録または再生の際に、磁気ヘッド２０５を退避ゾーン２０６へと退避させる時間は、データ本体の記録または再生の際に、磁気ヘッド２０５を退避ゾーン２０６へと退避させる時間より、短くすることができる。
【００６６】
ファイル管理情報は、データ本体にアクセスするための情報のため、衝撃によってファイル管理情報が破壊されると、衝撃が発生したときに記録または再生していたデータのみならず、その他のデータにもアクセスできない状態になる可能性がある。このことから、ファイル管理情報の破壊は、データ本体の破壊よりも、データの破壊が広範囲に及んでしまう可能性がある。
【００６７】
したがって、ファイル管理情報を記録または再生する際に、磁気ヘッド２０５を磁気ディスク２０１上から退避ゾーン２０６へと退避させる時間を、データ本体を記録または再生する際に、磁気ヘッド２０５を磁気ディスク２０１上から退避ゾーン２０６へと退避させる時間より短くすることで、例えば、衝撃が非常に強い場合や、衝突までの時間が非常に短い場合等の、磁気ヘッド２０５の退避を開始してから衝撃が磁気ヘッド２０５や磁気ディスク２０１に伝わるまでの時間が短い場合でも、衝撃の影響を受ける可能性があるデータの範囲が少なくなり、耐衝撃性を高めることができる。
【産業上の利用可能性】
【００６８】
本発明にかかる、ディスク媒体のヘッド退避位置から近い領域に動画を記録する手段と、ディスク媒体のヘッド退避位置から遠い領域にその他のデータを記録する手段と、ディスク媒体に記録されたデータを再生する手段と、動画記録再生装置の振動または落下を検出する手段と、ディスク媒体にデータを記録または再生している際に振動または落下が検出されると、ヘッドをディスク媒体上からヘッド退避位置へと退避させる手段とを備える動画記録再生装置およびディスク媒体の保護方法は、振動や落下に伴う衝撃を受けたときの耐衝撃性を高めることができるので、特に、ハードディスクを記録媒体として用いるデジタルスチルカメラやデジタルムービーカメラ等の携帯型の動画記録再生装置の用途に有用である。
【図面の簡単な説明】
【００６９】
【図１】本発明の実施の形態１における動画記録再生装置の構成を示すブロック図
【図２】同動画記録再生装置のハードディスクの構成を示すブロック図
【図３】本発明におけるハードディスクへの記録時の動作を示す説明図
【図４】本発明におけるハードディスクからの再生時の動作を示す説明図
【図５】本発明の実施の形態１における動画記録再生装置のハードディスクの磁気ディスク上の領域を示す説明図
【図６】本発明の実施の形態２における動画記録再生装置のハードディスクの磁気ディスク上の領域を示す説明図
【図７】本発明の実施の形態３における動画記録再生装置のハードディスクの磁気ディスク上の領域を示す説明図
【符号の説明】
【００７０】
１０１    レンズ
１０２    撮像部
１０３    マイク
１０４    信号処理部
１０５    圧縮伸張部
１０６    メモリ
１０７    記録再生部
１０８    ハードディスク
１０９    制御部
１１０    操作部
１１１    センサー
１１２    外部Ｉ／Ｆ部
１１３    表示部
２０１    磁気ディスク
２０２    スピンドルモータ
２０３    アクチュエータ
２０４    アーム
２０５    磁気ヘッド
２０６    退避ゾーン
【図１】
2006114145.tif 000003
【図２】
2006114145.tif 000004
【図３】
2006114145.tif 000005
【図４】
2006114145.tif 000006
【図５】
2006114145.tif 000007
【図６】
2006114145.tif 000008
【図７】
2006114145.tif 000009